(57)【特許請求の範囲】
【請求項１】
給水口の直下またはその周囲に水を供給可能な給水ヘッダの当該給水口の下方において鉛直方向に延在し、前記給水ヘッダから供給された水を一時的に含水すると共に蒸散させる蒸散本体部と、
前記蒸散本体部の上面部と前記給水口との間に配置されて、前記給水口から供給された水を前記上面部に一様に拡散させる水拡散部と、
前記水拡散部を包囲する外筒と、
を備えており、
前記水拡散部は、前記蒸散本体部の上面部に対向して前記給水口から供給された水を受ける水拡散部材を備え、
前記水拡散部材と前記外筒との間には隙間が形成されており、
前記外筒には通気孔が形成されていることを特徴とする蒸散体。
【請求項２】
前記水拡散部は、前記水拡散部材としてのフィルタ部材を備え、
前記フィルタ部材は、前記給水口から供給された水を受けつつ毛細管現象により当該水を浸透させる繊維層を有する
ことを特徴とする請求項１に記載の蒸散体。
【請求項３】
前記フィルタ部材の中央部は上方に向けて山形状に突出しており、前記フィルタ部材の外周部は前記中央部よりも低くなっている
ことを特徴とする請求項２に記載の蒸散体。
【請求項４】
前記水拡散部は、前記外筒内に設けられて前記フィルタ部材を包囲する包囲部を備え、前記包囲部と前記フィルタ部材との間には隙間が形成されている
ことを特徴とする請求項２または３に記載の蒸散体。
【請求項５】
前記水拡散部は、前記蒸散本体部の上面部よりも水平方向の幅が小さい、前記水拡散部材としての皿体を備え、
前記皿体は、
底板部と、
前記底板部の周縁部から立ち上がる周壁部と、を有する
ことを特徴とする請求項１に記載の蒸散体。
【請求項６】
前記皿体は、前記底板部に１または複数の開口部を有すると共に、各開口部の周囲に前記周壁部と同じ高さの開口周壁部を有することを特徴とする請求項５に記載の蒸散体。
【請求項７】
前記皿体の底板部は、溝部を有すると共に、前記溝部および前記溝部以外の部分のそれぞれに複数の孔部を有する
ことを特徴とする請求項５に記載の蒸散体。
【請求項８】
前記水拡散部の上方であって、前記給水口の上方または下方には、植栽可能な土壌層を有すると共に底部に複数の孔を有する鉢体が設けられている
ことを特徴とする請求項１〜７のいずれか一項に記載の蒸散体。
【発明の詳細な説明】
【技術分野】
【０００１】
本発明は、多孔質の材料に含ませた水を蒸散させ、水の蒸発熱によって空気等を冷却する蒸散体に関する。
【背景技術】
【０００２】
従来、蒸発冷却を利用した冷気導入法が民家等において採用されている。例えば、陽当たりの良い庭と、樹木で覆われた涼しい庭とを部屋の前後に配置し、陽当たりの良い庭の上昇気流により涼しい庭から涼しい空気を誘引し、更に涼しい庭側の入り口に水の入った素焼の壺を置くことにより、その表面からの水の蒸発によって壺の中の水を冷却し、部屋に流入する空気を加湿・冷却する方法が知られている。
【０００３】
この種の冷却方法をさらに効率化したものとして、多孔質素材からなる壁やルーバーを水の蒸発熱によって冷却するようにした蒸散装置が知られている。例えば、下記特許文献１に記載の構造体は、水を蒸散させるための蒸散本体部として、鉛直方向に長尺な多孔質部材を備えている。この特許文献１には、多孔質部材の上面中央部付近にヘッダから給水する構成や、当該多孔質部材の中心部に給水管を挿通し、この給水管に小孔を設け、この小孔を介して、給水管に供給した水を多孔質部材内に浸透させる構成が開示されている。
【先行技術文献】
【特許文献】
【０００４】
【特許文献１】特開２００３−１３９４５１号公報
【発明の概要】
【発明が解決しようとする課題】
【０００５】
しかしながら、特許文献１に記載の構成においては、多孔質部材の上方から当該多孔質部材に水を供給するヘッダに対し、多孔質部材の太さが過大である場合、当該ヘッダから供給された水はヘッダの直下の部分に偏りがちであり、多孔質部材の全体には行き渡り難い。たとえば、ヘッダが多孔質部材の中心部上方に配置される場合には、水は多孔質部材の中心部に偏って供給されてしまう。また、小孔を介して給水管から給水する場合であっても、給水管に近接した部分に水が偏って供給されてしまう。このように、蒸散本体部たる多孔質部材の全体に水を供給することは困難であった。
【０００６】
本発明は、蒸散本体部の全体に水を供給することができる蒸散体を提供することを目的とする。
【課題を解決するための手段】
【０００７】
上記課題を解決した蒸散体は、給水口の直下またはその周囲に水を供給可能な給水ヘッダの当該給水口の下方において鉛直方向に延在し、給水ヘッダから供給された水を一時的に含水すると共に蒸散させる蒸散本体部と、蒸散本体部の上面部と給水口との間に配置されて、給水口から供給された水を上面部に一様に拡散させる水拡散部と、水拡散部を包囲する外筒と、を備えており、水拡散部は、蒸散本体部の上面部に対向して給水口から供給された水を受ける水拡散部材水拡散部材を備え、水拡散部材と外筒との間には隙間が形成されており、外筒には通気孔が形成されていることを特徴とする。
【０００８】
この蒸散体によれば、蒸散本体部の上面部と給水口との間に水拡散部が配置されているため、給水口から供給される水は蒸散本体部に直接落下せずに水拡散部上に落下することとなる。この水拡散部は、給水口から供給された水を蒸散本体部の上面部に一様に拡散させる。そのため、蒸散本体部の上面部では、給水口の直下やその周囲の部分のみならず辺縁においても水を受けることができ、これによって、蒸散本体部の一部にのみ水が偏って供給されることが防止される。よって、蒸散本体部の全体に水を供給することができる。
【０００９】
また、上記蒸散体において、水拡散部は、水拡散部材としてのフィルタ部材を備え、フィルタ部材は、給水口から供給された水を受けつつ毛細管現象により当該水を浸透させる繊維層を有する。この場合、フィルタ部材の繊維層は、水を受けつつ、毛細管現象によってその水を浸透させるため、繊維層全体に水が浸透することとなる。よって、蒸散本体部の上面部の辺縁にまで水が落下し、蒸散本体部の全体に確実かつ容易に水を供給することができる。
【００１０】
また、上記蒸散体において、フィルタ部材の中央部は上方に向けて山形状に突出しており、フィルタ部材の外周部は中央部よりも低くなっている。この場合、フィルタ部材の繊維層に浸透した水は、中央部よりも外周部から落下しやすくなる。これによって、蒸散本体部の周縁部により多くの水を供給することができる。蒸散本体部の周縁部は外部に面しており蒸散が活発に行われる部分であるため、効率的な蒸散を行うことができる。
【００１２】
また、上記蒸散体において、水拡散部は、外筒内に設けられてフィルタ部材を包囲する包囲部を備え、包囲部とフィルタ部材との間には隙間が形成されている。この場合、フィルタ部材の周縁部と包囲部との間の隙間から水が漏れ出すこととなり、フィルタ部材の直下のみならず、その周縁部からも積極的に水を漏れ出させることができる。これによって、蒸散本体部の周縁部により多くの水を供給することができ、効率的な蒸散を行うことができる。
【００１３】
また、上記蒸散体において、水拡散部は、蒸散本体部の上面部よりも水平方向の幅が小さい、水拡散部材としての皿体を備え、皿体は、底板部と、底板部の周縁部から立ち上がる周壁部と、を有する。この場合、給水口から供給される水は、いったん皿体に蓄えられ、皿体が満水状態になると、水は皿体の周壁部からオーバーフローして蒸散本体部の上面部に落下することとなる。このようなオーバーフロー効果を利用することで、給水口の直下のみならず上面部の辺縁にまで水を落下させることができ、蒸散本体部の全体に確実かつ容易に水を供給することができる。
【００１４】
また、上記蒸散体において、皿体は、底板部に１または複数の開口部を有すると共に、各開口部の周囲に周壁部と同じ高さの開口周壁部を有する。この場合、水をオーバーフローさせる周壁部が、底板部の周縁部のみならず開口部の周囲にも設けられるため、開口部からもオーバーフローにより水を落下させることができる。よって、より多くの周壁部を設けることができ、上面部に対してより均一に水を拡散させることができる。
【００１５】
また、上記蒸散体において、皿体の底板部は、溝部を有すると共に、溝部および溝部以外の部分のそれぞれに複数の孔部を有する。この場合、溝部の孔部から水が落下すると共に、溝部に溜まって溝部以外の部分に溢れた水が、溝部以外の部分の孔部からも落下する。よって、底板部の全体から水を落下させることができ、上面部に対してより均一に水を拡散させることができる。
【００１６】
また、上記蒸散体において、水拡散部の上方であって、給水口の上方または下方には、植栽可能な土壌層を有すると共に底部に複数の孔を有する鉢体が設けられている。この場合、鉢体内の土壌層および底部の孔に水を通過させることができ、これにより、鉢体の底部から落下する水は、既に拡散することとなる。そして、鉢体によって拡散された水が水拡散部に落下することとなるため、水拡散部における水の拡散がより一層均一になる。
【発明の効果】
【００１８】
本発明によれば、蒸散本体部の全体に水を供給することができる。
【図面の簡単な説明】
【００１９】
【図１】第１実施形態に係る蒸散体を備えた蒸散ルーバーの全体構成を示す図である。
【図２】（ａ）は図１中の蒸散体の上部を示す断面図、（ｂ）はフィルタ部材の平面図、（ｃ）はフィルタ部材の拡大断面図である。
【図３】第２実施形態に係る蒸散体の上部を示す断面図である。
【図４】（ａ）は第３実施形態に係る蒸散体の上部を示す断面図、（ｂ）は皿体の平面図である。
【図５】（ａ）は第４実施形態に係る蒸散体の上部を示す断面図、（ｂ）は皿体の平面図である。
【図６】（ａ）は第５実施形態に係る蒸散体の上部を示す断面図、（ｂ）は皿体の平面図である。
【図７】（ａ）は第６実施形態に係る蒸散体の上部を示す断面図、（ｂ）は皿体の平面図である。
【図８】（ａ）は第７実施形態に係る蒸散体の上部を示す断面図、（ｂ）は鉢体の底部の平面図である。
【発明を実施するための形態】
【００２０】
以下、本発明の実施形態について、図面を参照しながら説明する。なお、図面の説明において同一要素には同一符号を付し、重複する説明は省略する。
【００２１】
図１に示されるように、蒸散ルーバー１は、たとえば建物の窓や玄関の付近、庭などに設置されて、周囲の空気や建物内に流入する空気を冷却する蒸散装置である。この蒸散ルーバー１は、外構の一部を構成する。蒸散ルーバー１は、コンクリート製の基礎２に立設されて、内部に水を一時的に含水すると共にその水を蒸散させる複数の蒸散体３と、複数の蒸散体３に水を供給する給水ヘッダ４とを備えている。なお、図１では、５本の蒸散体３が並設された例を示している。説明を容易にするため、図中の左側の４本では正面からの外観を、図中の右端の１本では縦断面を示している。
【００２２】
各蒸散体３は、鉛直方向に延びる円柱状の外形をなしており、地面Ｇから上方に延びている。蒸散体３の下端部は基礎２に埋設されている。蒸散体３は、ステンレス製の円筒状の外筒６と、外筒６内に収容された蒸散本体部７とを有する。外筒６には、全体にわたって複数の横長の通気孔６ａが形成されている。このような構成により、外筒６は、蒸散本体部７を収容・保持すると共に、蒸散本体部７に対する通気性を確保している。なお、外筒６の材質はステンレス製に限られず、たとえばアルミ製であってもよい。外筒６は耐食性の高い材質からなることが好ましい。通気孔６ａの形状は適宜変更することができる。
【００２３】
給水ヘッダ４は、複数の蒸散体３の上方において水平方向に延びるヘッダ管４ａと、ヘッダ管４ａから分岐されて、蒸散体３内に水を流下（もしくは滴下）させる給水口４ｂとを有している。ヘッダ管４ａの基端には、図示しない送水手段（たとえばポンプ等）が接続されている。給水口４ｂの先端には、給水ノズルが設けられてもよく、給水ノズルは設けられず配管のみであってもよい。給水口４ｂの口径は、外筒６の内径よりも小さい。給水口４ｂは、その直下または直下の周囲にのみ水を供給可能に構成されている。
【００２４】
蒸散体３は、外筒６の上端部に懸垂された鉢体８を有している。この鉢体８は、逆円錐台形状の側部８ａと、側部８ａの下端に連設された底部８ｂと、側部８ａの上端に連設されて外筒６に懸架されたフランジ部８ｃとを有している。鉢体８内には土壌層９が充填されており、この土壌層９に植物１０が植えられている。鉢体８は給水口４ｂの下方に配置されており、給水口４ｂから流下した水が土壌層９に浸透するようになっている。鉢体８は、植物１０により蒸散ルーバー１の意匠性を向上させると共に、蒸散本体部７に供給される水を拡散させる機能を有する。なお、給水口４ｂは、給水口４ｂから鉢体８内に水が落下するようになっていれば、どのような位置に配置されてもよい。すなわち、給水口４ｂは、鉢体８の中央部の上方に配置されてもよく、鉢体８の辺縁部の上方に配置されてもよい。
【００２５】
鉢体８が収容された外筒６の上端部には、鉢体８を包囲するようにして補強用の板が取り付けられている。外筒６において通気性が求められるのは蒸散本体部７が設けられた部分であり、鉢体８の周囲では通気機能を有さなくてもよい。
【００２６】
蒸散本体部７は、給水ヘッダ４の給水口４ｂから供給された水を一時的に含水すると共に蒸散させるためのものである。蒸散本体部７は、多孔質の粒体からなり、これらの粒体が所定の高さまで外筒６内に充填されることにより、給水口４ｂの下方において鉛直方向に延在している。蒸散本体部７の上面部７ａは、外筒６の内径に対応した直径を有しており、よって、上面部７ａの直径は給水口４ｂの口径よりも大きくなっている。
【００２７】
蒸散本体部７としては、単位体積あたりの表面積が大きい材料が適しており、たとえば、粒状に粉砕された軽量気泡コンクリート（ＡＬＣ；Autoclaved  Lightweight  Concrete）を用いることができる。この場合、蒸散本体部７用に成形された粒状のＡＣＬを用いてもよく、建築廃材として廃棄されたＡＬＣを粉砕して粒状に成形しリサイクルしてもよい。蒸散本体部７の各粒体の粒径は、たとえば１０〜５０ｍｍ程度である。なお、１０ｍｍ以下の細かい粒体を用いてもよいし、５０ｍｍ以上の粗い粒体を用いてもよい。
【００２８】
図２（ａ）は、図１中の蒸散体３の上部を示す断面図である。本実施形態の蒸散体３にあっては、蒸散本体部７の上面部と給水口４ｂとの間に配置されて、給水口４ｂから供給された水を上面部７ａに一様に拡散させる水拡散部１５を備えている。水拡散部１５は、上面部７ａ上に載置されて上面部７ａに対向するフィルタ部材１１と、外筒６の上端部内面に取り付けられてフィルタ部材１１を包囲する円筒状の包囲部６ｂとを有する。フィルタ部材１１は、鉢体８の底部８ｂと蒸散本体部７の上面部７ａとの間に配置されている。包囲部６ｂは金属製の板材であり、鉢体８およびフィルタ部材１１を包囲している。さらに、フィルタ部材１１と包囲部６ｂとの間には、円環状の隙間１４が形成されている。
【００２９】
図２（ｂ），（ｃ）に示されるように、フィルタ部材１１は、円板状をなしており、２枚のフィルタ、すなわち上フィルタ部材１２および下フィルタ部材１３を重ねて形成されている。上フィルタ部材１２の上面部１２ｄは、鉢体８の底部８ｂに対し鉛直方向に所定距離離間して対面しており、下フィルタ部材１３の下面部１３ｄは、蒸散本体部７の上面部７ａに当接している。上下のフィルタ部材１２，１３は、たとえば、ＰＥＴ（ポリエチレンテレフタレート）からなる三次元立体編物である。
【００３０】
フィルタ部材１１の構成に関してより具体的に説明すると、上フィルタ部材１２は、給水口４ｂから流下した水を受けつつ、毛細管現象によりその全体に水を浸透させる上浸透層（繊維層）１２ａと、上浸透層１２ａの下面に設けられて、上浸透層１２ａからの水の流下を妨げることなく上浸透層１２ａを支持する織布からなる支持層１２ｂと、支持層１２ｂの下面に設けられて、上浸透層１２ａと同じ構成を有する下浸透層１２ｃとを有する。下フィルタ部材１３は、上フィルタ部材１２と同様にして、上浸透層１３ａ、支持層１３ｂ、および下浸透層１３ｃを有する。上フィルタ部材１２および下フィルタ部材１３としては、たとえば、旭化成せんい株式会社製の「フュージョン（登録商標）」を用いることができる。なお、当該構成においては、フィルタ部材１１を２重層の構成としたが、単層であっても、３重層以上の構成であっても採用可能である。
【００３１】
また、包囲部６ｂは、外筒６の上端部を補強する補強板を兼ねている。包囲部としては、本実施形態のように補強板を兼ねていてもよいし、フィルタ部材１１のみを包囲する円環状の板材を用いてもよい。さらには、別途板材を設けることなく、外筒６において、フィルタ部材１１の周囲には通気孔６ａを形成せずにその部分を包囲部としてもよい。
【００３２】
さらに、水拡散部１５の上方に配置された鉢体８は、その底部８ｂに複数の孔８ｄを有している。これらの複数の孔８ｄは、給水口４ｂから供給されて土壌層９を通過した水をフィルタ部材１１の上面部１２ｄに滴下（もしくは流下）させるためのものである。孔８ｄは、孔８ｄからフィルタ部材１１上に水が滴下するようになっていればどのような位置に配置されてもよいが、フィルタ部材１１上に均一に水が滴下されるようにまんべんなく配置されることが好ましい。
【００３３】
以上の構成を有する蒸散ルーバー１の蒸散体３では、給水口４ｂの下方に鉢体８が配置され、鉢体８の下方に水拡散部１５のフィルタ部材１１が配置されているため、給水口４ｂから流下した水は、鉢体８内の土壌層９および底部８ｂの孔８ｄを通過しつつ平面的に拡散する。次に、鉢体８によって拡散された水が水拡散部１５のフィルタ部材１１上に落下し、その水が毛細管現象によってフィルタ部材１１内を浸透する。そして、蒸散本体部７の上面部７ａの略全面に水が落下し、蒸散本体部７の全体に確実に水が行き渡る。
【００３４】
蒸散体３によれば、蒸散本体部７の上面部７ａと給水口４ｂとの間に水拡散部１５が配置されているため、給水口４ｂから供給される水は蒸散本体部７に直接落下せずに水拡散部１５のフィルタ部材１１上に落下することとなる。この水拡散部１５は、給水口４ｂから供給された水を蒸散本体部７の上面部７ａに一様に拡散させるため、上面部７ａでは、給水口４ｂの直下やその周囲の部分のみならず辺縁においても水を受けることができ、これによって、蒸散本体部７の一部にのみ水が偏って供給されることが防止される。よって、蒸散本体部７の全体に水が供給され、良好な蒸散状態を得ることができる。
【００３５】
また、フィルタ部材１１の上浸透層１２ａは、水を受けつつ、毛細管現象によってその水を浸透させるため、上浸透層１２ａ全体に水が浸透することとなる。よって、蒸散本体部７の上面部７ａの辺縁にまで水が落下し、蒸散本体部７の全体に確実かつ容易に水が供給される。
【００３６】
特に、本実施形態ではフィルタ部材１１が上フィルタ部材１２および下フィルタ部材１３の複数の層から構成されており、各フィルタ部材１２，１３が２層の浸透層（浸透層１２ａ，１２ｃおよび浸透層１３ａ，１３ｃ）を備えるため、フィルタ部材１１における水の浸透・拡散効果が高められている。当該フィルタ部材１１の層構成や各フィルタ部材１２，１３の繊維密度は、給水口４ｂから供給される水の勢いや供給時間、蒸散速度などとの関係で定められるものとなり、例えば、フィルタ部材１１上に一旦水を貯留し、そこからフィルタ部材１１の浸透力を頼りに蒸散本体部７へ水を供給するといった当該フィルタ部材１１をある種のヘッダとして利用する場合は、フィルタ部材１１の繊維密度を高めると共に、多層構成とすることが望ましい。一方で、フィルタ部材１１の水拡散力にのみ期待し、水をフィルタ部材１１に長期に滞留させることをせず、水の供給は給水ヘッダ４側で調整するといった場合には、ある程度の浸透性を有する単層のフィルタ部材が採用される。
【００３７】
また、フィルタ部材１１と包囲部６ｂとの間には隙間１４が形成されているため、この隙間１４から水が漏れ出すこととなり、フィルタ部材１１の直下のみならず、その周縁部からも積極的に水を漏れ出させることができる。これによって、蒸散本体部７の周縁部により多くの水が供給される。蒸散本体部７の周縁部は外部に面しており蒸散が活発に行われる部分であるため、効率的な蒸散が行われる。
【００３８】
また、鉢体８内の土壌層９および底部８ｂの孔８ｄに水を通過させることにより、鉢体８の底部８ｂから落下する水は、既に拡散している。鉢体８によって拡散された水が水拡散部１５に落下するため、水拡散部１５における水の拡散がより一層均一になる。本実施形態のように給水口４ｂの下方に鉢体８を設けた場合には、給水口４ｂからの水を複数の用途で利用することができる。さらに、鉢体８に植えられた植物１０により、意匠性も向上する。
【００３９】
図３は、第２実施形態に係る蒸散体３Ａの上部を示す断面図である。図３に示す蒸散体３Ａが図２（ａ）に示した蒸散体３と違う点は、フィルタ部材１１に代えて、山形状のフィルタ部材１１Ａを有する水拡散部１５Ａを備えた点である。フィルタ部材１１Ａの材質および層構造は、フィルタ部材１１と同様である。フィルタ部材１１Ａの中央部１１ａは、上方に向けて山形状に突出しており、フィルタ部材１１Ａの外周部１１ｂは、中央部１１ａよりも低くなっている。さらに、フィルタ部材１１Ａの周縁部１１ｃは、包囲部６ｂに密着している。
【００４０】
上記構成を有する蒸散体３Ａによれば、フィルタ部材１１Ａの繊維層に浸透した水は、中央部１１ａよりも外周部１１ｂに偏在しやすく、またフィルタ部材１１の繊維密度によっては当該フィルタ部材１１の外周部１１ｂ上方に水が溜まりやすくなり、その結果、周縁部１１ｃから蒸散本体部７の上面部７ａに向けて水が落下しやすくなる。これによって、蒸散本体部７の周縁部により多くの水が供給され、効率的な蒸散が行われる。
【００４１】
また、フィルタ部材１１Ａの周縁部１１ｃは包囲部６ｂに密着しているため、その周縁部１１ｃから水が漏れ出すことが防止される。
【００４２】
図４（ａ）は、第３実施形態に係る蒸散体３Ｂの上部を示す断面図である。図４（ａ）に示す蒸散体３Ｂが図２（ａ）に示した蒸散体３と違う点は、フィルタ部材１１に代えて、円形の皿体１６を有する水拡散部１５Ｂを備えた点である。この皿体１６は、蒸散本体部７の上面部７ａよりも水平方向の幅すなわち直径が小さくなっており、皿体１６と包囲部６ｂとの間には円環状の隙間１７が形成されている。図４（ａ），（ｂ）に示されるように、皿体１６は、ドーナツ状の底板部１６ａと、底板部１６ａの周縁部から立ち上がる周壁部１６ｂと、底板部１６ａの中央に形成された円形の開口部１６ｃと、開口部１６ｃの周縁から立ち上がる開口周壁部１６ｄとを有している。開口周壁部１６ｄの高さは、周壁部１６ｂの高さと同じになっている。なお、鉢体８の底部８ｂの孔８ｄは、少なくとも底板部１６ａの直上に設けられることが好ましい。
【００４３】
上記構成を有する蒸散体３Ｂによれば、給水口４ｂから供給された水は、いったん皿体１６に蓄えられ、皿体１６が満水状態になると、水は皿体１６の周壁部１６ｂからオーバーフローして蒸散本体部７の上面部７ａに落下する。このようなオーバーフロー効果を利用することで、給水口４ｂの直下のみならず上面部７ａの辺縁にまで水を落下させることができ、蒸散本体部７の全体に確実かつ容易に水が供給される。
【００４４】
また、水をオーバーフローさせる周壁部が、底板部１６ａの周縁部のみならず開口部１６ｃの周囲にも設けられているため、開口部１６ｃからもオーバーフローにより水を落下させることができる。よって、より多くの周壁部１６ｂ，１６ｄを設けることができ、上面部７ａに対してより均一に水が拡散する。
【００４５】
図５（ａ）は、第４実施形態に係る蒸散体３Ｃの上部を示す断面図、図５（ｂ）は、蒸散体３Ｃの皿体の平面図である。図５（ａ）に示す蒸散体３Ｃが図４（ａ）に示した蒸散体３Ｂと違う点は、皿体１６に代えて、多重円状の樋状部材からなる皿体１８を有する水拡散部１５Ｃを備えた点である。この皿体１８は、水を溜めることのできる樋状部材が同心状に３重に配置されてなる。皿体１８は、３重に配置されたドーナツ状の底板部１８ａと、最外周の底板部１８ａの外縁部から立ち上がる周壁部１８ｂと、対面する底板部１８ａ，１８ａ間および皿体１８の中央部に形成された開口部１８ｃと、開口部１８ｃの周縁から立ち上がる開口周壁部１８ｄとを有している。開口周壁部１８ｄの高さは、周壁部１８ｂの高さと同じになっている。なお、鉢体８の底部８ｂの孔８ｄは、少なくとも底板部１８ａの直上に設けられることが好ましい。また、３重の樋状部材は、十字状の連結・支持部材１９上に固定されている。なお、本実施形態では樋状部材を３重のものとしているが、２重であっても４重以上のものとしても採用可能である。
【００４６】
上記構成を有する蒸散体３Ｃによれば、上述の蒸散体３Ｂと同様の作用・効果を奏することができると共に、より長い周壁部１８ｂ，１８ｄを設けることができる。
【００４７】
図６（ａ）は、第５実施形態に係る蒸散体３Ｄの上部を示す断面図、図６（ｂ）は、蒸散体３Ｄの皿体の平面図である。図６（ａ）に示す蒸散体３Ｄが図５（ａ）に示した蒸散体３Ｃと違う点は、皿体１８に代えて、スパイラル状の樋状部材からなる皿体２０を有する水拡散部１５Ｄを備えた点である。この皿体２０は、水を溜めることのできる１本の樋状部材が蚊取り線香のようなスパイラル状に配置されている。皿体２０は、スパイラル状に延びる底板部２０ａと、底板部２０ａの幅方向における端縁部から立ち上がる周壁部２０ｂと、対面する周壁部２０ｂ，２０ｂ間に形成された開口部２０ｃとを有している。周壁部２０ｂの高さは均一になっている。なお、鉢体８の底部８ｂの孔８ｄは、少なくとも底板部２０ａの直上に設けられることが好ましい。
【００４８】
上記構成を有する蒸散体３Ｄによれば、上述の蒸散体３Ｃと同様の作用・効果を奏することができると共に、たとえば鉢体８の底部８ｂに形成された孔８ｄが一つである場合であっても、上面部７ａに対して均一に水が拡散する。
【００４９】
図７（ａ）は、第６実施形態に係る蒸散体３Ｅの上部を示す断面図、図７（ｂ）は、蒸散体３Ｅの皿体の平面図である。図７（ａ）に示す蒸散体３Ｅが図４（ａ）に示した蒸散体３Ｂと違う点は、皿体１６に代えて、底板部２１ａにさらに溝部２１ｄが形成された皿体２１を有する水拡散部１５Ｅを備えた点である。この皿体２１は、円環状の溝部２１ｄおよび溝部２１ｄ以外の平坦部２１ｅからなる底板部２１ａと、底板部２１ａの周縁部から立ち上がる周壁部２１ｂと、溝部２１ｄに形成された複数の孔部２１ｆと、平坦部２１ｅに形成された複数の孔部２１ｇとを有している。皿体２１では、溝部２１ｄに形成された各孔部２１ｆは、平坦部２１ｅに形成された孔部２１ｇよりも小さくなっている。
【００５０】
上記構成を有する蒸散体３Ｅによれば、上述の蒸散体３Ｃと同様の作用・効果を奏することができる。さらには、溝部２１ｄの孔部２１ｆから水が落下すると共に、溝部２１ｄに溜まって平坦部２１ｅに溢れた水が、平坦部２１ｅの孔部２１ｇからも落下する。よって、底板部２１ａ全体から水を落下させることができ、上面部７ａに対してより均一に水が拡散する。
【００５１】
図８（ａ）は、第７実施形態に係る蒸散体３Ｆの上部を示す断面図、図８（ｂ）は、蒸散体３Ｆの鉢体の底部の平面図である。図８（ａ）に示す蒸散体３Ｆが上記各実施形態の蒸散体と違う点は、フィルタ部材や皿体を設けていない点と、鉢体８に代えて、底部２８ｂの構成を工夫した鉢体２８を備えた点である。鉢体２８は、逆円錐台形状の側部２８ａと、側部２８ａの下端に連設された底部２８ｂと、側部２８ａの上端に連設されて外筒６に懸架されたフランジ部２８ｃとを有している。さらに、底部２８ｂは、中央部および同心状に二重に形成されて上方に突出する突出部２８ｅと、突出部２８ｅ同士間および突出部２８ｅと側部２８ａとの間に形成された溝部２８ｄとを有している。溝部２８ｄには、複数の孔２８ｆが形成されている。
【００５２】
上記構成を有する３Ｆによれば、鉢体２８内の土壌層９および底部２８ｂの孔２８ｆに水を通過させることにより、水が拡散した状態で蒸散本体部７に供給されるものとなる。すなわち、蒸散体３Ｆにおいては、この鉢体２８が水拡散部に相当する。このように、植栽に用いられる鉢体２８を水の拡散にも利用することができる。さらには、給水口４ｂからの水を複数の用途で利用することができる。さらに、鉢体２８に植えられた植物１０により、意匠性も向上する。
【００５３】
以上、本発明の実施形態について説明したが、本発明は上記実施形態に限られるものではない。例えば、上記実施形態では円柱状の外形を有する蒸散体について説明したが、これに限られず、角柱状の外形を有する蒸散体であってもよい。蒸散体は、給水口４ｂの下方において鉛直方向に延在し、かつ空気が通るような形状であれば、特に限定されない。また、上記実施形態では、給水ヘッダ４のヘッダ管４ａが蒸散体３の上方に設けられる場合について説明したが、例えば、鉢体と水拡散部との間に給水ヘッダが設けられてもよい。この場合、鉢体への給水は給水ヘッダ以外の手段により行われる。葉が垂れ下がるタイプの植物１０を鉢体に植えることで、給水ヘッダを覆い隠して意匠性を向上させることもできる。
【００５４】
また、上記実施形態では、蒸散体が外構の一部を構成するものとして示されているが、建物の外壁や窓前に取り付けられる又はこれらを構成するルーバー装置の各ルーバー体に本発明の蒸散体を採用することももちろん可能である。
【００５５】
また、本発明の蒸散体は、上記実施形態においては断面円形のものを採用しているが、当該断面形状はこれに留まらず、楕円形はもちろん、三角形や長方形やひし形等の多角形、半円形状又は星形形状等の形状を採用することも可能である。
【００５６】
また、フィルタ部材の構成は、水を毛細管現象により浸透させる繊維層を備えていればフィルタ部材１１やフィルタ部材１１Ａの構成に限られない。フィルタ部材として、あらゆる形状の三次元立体編物などを用いることができる。また、鉢体８，２８の底部には、ランダムに孔を形成してもよい。さらに、フィルタ部材や皿体を設ける場合において、鉢体を省略することもできる。この場合、給水口４ｂは、包囲部６ｂとの間の隙間や皿体に形成された開口部もしくは孔部以外の領域に水を流下させるよう配置される。
【符号の説明】
【００５７】
１…蒸散ルーバー、３，３Ａ〜３Ｆ…蒸散体、４…給水ヘッダ、４ｂ…給水口、６ｂ…包囲部、７…蒸散本体部、７ａ…上面部、８，２８…鉢体、８ｄ，２８ｆ…孔、９…土壌層、１１，１１Ａ…フィルタ部材、１２ａ…上浸透層、１４…隙間、１５，１５Ａ〜１５Ｅ…水拡散部、１６…皿体、１８…皿体、２０…皿体、２１…皿体。
【図１】
0005961398.tif 000002
【図２】
0005961398.tif 000003
【図３】
0005961398.tif 000004
【図４】
0005961398.tif 000005
【図５】
0005961398.tif 000006
【図６】
0005961398.tif 000007
【図７】
0005961398.tif 000008
【図８】
0005961398.tif 000009